(57)【特許請求の範囲】
【請求項１】
管材を支持部に支持するための樹脂製管支持具であって、管材を保持するバンド状の保持部と、取付穴を介して支持部に釘又はビスにより止められる平板状の取付部とを備え、前記取付部は、取付部同士を垂直方向から連結可能なジョイント穴と掛止可能な爪とを、前記取付部の両端において前記支持部に対して垂直方向に備え、且つ、前記ジョイント穴の内壁には、連結後に前記爪が動揺しないように前記爪を固定するための突起が設けられることを特徴とする樹脂製管支持具。
【請求項２】
前記バンド状の保持部は、取付部に備わる差込部に掛止可能な爪を端部に備えることを特徴とする請求項１に記載の樹脂製管支持具。
【請求項３】
取付部に備わる差込部は、異なる径の管材を保持可能に複数備わることを特徴とする請求項２に記載の樹脂製管支持具。
【請求項４】
請求項１〜３の何れかに記載の樹脂製管支持具を用いて取付部同士を複数連結し、連結した両端を支持部に固着することにより、異なる径の複数の管材を並行に保持することを特徴とする管支持方法。
【発明の詳細な説明】
【技術分野】
【０００１】
本発明は、配管を支持するための管支持具で係り、特に、複数の異なる径の配管を容易に着脱可能な樹脂製管支持具及び該樹脂製管支持具による管支持方法に関するものである。
【背景技術】
【０００２】
従来、住宅やアパート等の床下や天井裏などに管材を配管する場合、図８に示すように、サドルバンド１９を使用し、木ビスやコンクリート釘の固着具１１を用いて、１つのバンドに対して２箇所止めするのが通常であった。また、配管作業をより容易に行うことを目的として、各種の管支持具が提案されている（例えば、特許文献１参照）。
【先行技術文献】
【特許文献】
【０００３】
【特許文献１】特開２００２−３７２１７０号公報
【発明の概要】
【発明が解決しようとする課題】
【０００４】
一般に、キッチン、風呂、化粧台など、居住空間における衛生器具に水を供給する管は、施主あるいは建築業者の都合で、位置の変更や、機種の変更又は追加など、建築中に変更になることが多々あり、事前に配管していてもやり変えが必要になる。このような状況において、従来のサドルバンドを用いる場合、配管の移動の際にはバンド全体を外し、また、固定する際には木ビスやコンクリート釘で止める必要があり、作業性が著しく悪い。また、配管のサイズごとにバンドを調達しなければならず、在庫管理に手間がかかるという問題があった。また、特許文献１で提案されている管支持具は、配管口径が同一寸法の場合にのみ適用でき、排水管や給水・給湯管との同一経路でのシステム的な連結は出来ない。
【０００５】
本発明は、上記の問題点に鑑み、配管の追加や経路変更によっても脱着可能で、配管口径の変更にも容易に対応できる樹脂製管支持具及び該樹脂製管支持具による管支持方法を提供することを目的とする。
【課題を解決するための手段】
【０００６】
本発明は、上記の目的を達成するために、管材を支持部に支持するための樹脂製管支持具であって、管材を保持するバンド状の保持部と、取付穴を介して支持部に釘又はビスにより止められる平板状の取付部とを備え、前記取付部は、取付部同士を垂直方向から連結可能なジョイント穴と掛止可能な爪とを、前記取付部の両端において前記支持部に対して垂直方向に備え、且つ、前記ジョイント穴の内壁には、連結後に前記爪が動揺しないように前記爪を固定するための突起が設けられることを特徴とする。さらに、前記バンド状の保持部は、取付部に備わる差込部に掛止可能な爪を端部に備えることを特徴とする。
【０００７】
また、前記取付部に備わる差込部は、異なる径の管材を保持可能に複数備わることを特徴とする。
【０００８】
また、本発明の管支持方法は、前記の何れかの樹脂製管支持具を用いて、取付部同士を複数連結し、連結した両端を支持部に固着することにより、異なる径の複数の管材を並行に保持することを特徴とする。
【発明の効果】
【０００９】
本発明により、管材を配管する際に簡単に連結・増結でき、配管を容易に支持し、管材が脱着可能で、１つの支持具で複数サイズの配管を支持固定することができる。また、給水・給湯管を容易に支持でき、床下などの狭いスペースでも容易に作業ができ、取り外し可能で、支持もしっかりとでき、口径の変更にも取り外すことなく対応できる。また、連結で配管することによって、見た目もきちんと配管されている。さらに、昨今の長期優良住宅の需要の高まりや住宅性能等級の獲得などを目的に、築数十年後に配管工事をし直す場合にも前述の性能が取得できる。
【図面の簡単な説明】
【００１０】
【図１】本発明の樹脂製管支持具の斜視図である。
【図２】連結支持の実施例を示す正面図である。
【図３】大口径管の実施例を示す正面図である。
【図４】中口径管の実施例を示す正面図である。
【図５】小口径管の実施例を示す正面図である。
【図６】本発明の樹脂製管支持具の本体図である。
【図７】配管の連結支持例を示す正面図である。
【図８】在来工法の（ａ）正面図、（ｂ）平面図である。
【発明を実施するための形態】
【００１１】
以下、図を参照して詳述する。図１は異なる角度から見た樹脂製管支持具の斜視図である。本体は合成樹脂製であり、図６の樹脂製管支持具の本体図に示すように、回動可能な支持バンド８は、その先端に、取付け穴５を有する取付部に備わる切込み１〜３と掛止する爪４を備える。切込みは配管口径に合わせて数段階になっている。図６には、小口径用切込み１、中口径用切込み２及び大口径用切込み３を示すが、その数はこれに限らない。平板状の取付部には、支持部に固着するためのビスあるいはコンクリート釘用の取付け穴５を備える。また、樹脂製管支持具同士が連結可能なように、爪型ジョイント６及びジョイント穴７を備え、複数の配管を並行に配列可能である。
【００１２】
図２は小口径管を並行配置する場合の実施例を示す正面図である。爪型ジョイント６及びジョイント穴７を抱き合わせることにより、連結ができる。また、図２の爪型ジョイント６をマイナスドライバーなどで下方向に押し込むことで、爪型ジョイント６及びジョイント穴７を離脱できる。また、配管経路に樹脂バンドをビス及びコンクリート釘などで固定し、数系統配管が重なる場合は、図に示すように、連結して両端２箇所留めるだけで支持固定が充分であるため、作業工程の削減が出来る。また、接続がワンタッチで脱着できるので、配管数によって簡単に増減できる。
【００１３】
図３は、大口径管の管材を支持したときに、図６に示す爪４が大口径用切込み３にセットされた状況である。また、図４は中口径管の管材を支持したとき、図５は小口径管の管材を支持したときのセット状況である。図６は樹脂製管支持具の本体図である。
【００１４】
図７は、排水管１６、給水管１３及び給湯管１４を、並行に配列配管したときの配管図で、排水管１６を勾配を取って配管するため、高さの異なるスペーサー１７、１８で勾配の調整をしなければならない。スペーサーは１０ｍｍから５０ｍｍまでの各サイズを有し、状況に応じて取り付けられる。支持部１２への固定には木ビス又はコンクリート釘などの固着具１１が用いられ、図７の様な給排水を連結して留める場合は、排水管架台１５の固定と樹脂製管支持具の両端の支持固定で充分であるため作業工程の削減が出来る。
【００１５】
以上に述べたように、本発明によれば、１つの樹脂製管支持具で複数の切込みに爪を差し換える事によって、複数サイズ、例えば、１３ｍｍ、１６ｍｍ、２０ｍｍの配管材を支持することが出来る。また、排水管が行く所は、給水管及び給湯管が並行して配管されて行くので、排水管、給水管、給湯管の樹脂製管支持具を連結して固定することによって、木ビスやコンクリート釘の本数を減らす事ができ、作業工程を削減することが出来る。また、各配管がばらばらに配管されないため、見た目もシステム的で分かりやすく美しい。
【符号の説明】
【００１６】
１  小口径用切込み
２  中口径用切込み
３  大口径用切込み
４  爪
５  取付け穴
６  爪型ジョイント
７  ジョイント穴
８  支持バンド
９  保温材
１０  管材
１１  固着具
１２  支持部
１３  給水管
１４  給湯管
１５  排水管架台
１６  排水管
１７、１８  スペーサー
１９  サドルバンド
２０  配管材
【図７】
0005513816.tif 000002
【図１】
0005513816.tif 000003
【図２】
0005513816.tif 000004
【図３】
0005513816.tif 000005
【図４】
0005513816.tif 000006
【図５】
0005513816.tif 000007
【図６】
0005513816.tif 000008
【図８】
0005513816.tif 000009